(57)【要約】【課題】病院内のナースコール装置連動の看護支援装置がナースステーションで起呼患者を表示する際に、ナースに対して看護活動の個別的指針を与えるような起呼患者固有の個人看護情報を同時的に表示することで、看護情報の取扱いを的確、容易にする。【解決手段】ベッドに設置された患者起呼情報手段Ａ１からの患者起呼情報に応答して、起呼患者特定手段Ｂがベッド対応で起呼患者を特定する。特定された起呼患者の患者起呼情報を患者起呼情報表示手段Ｃが起呼患者対応の患者起呼情報表示部位Ｃａとしての「患者」枠を変色させて表示する。この間、個人看護情報表示手段Ｄが「患者」枠内に「分護区分情報」などの第１群個人看護情報を記号で経常的に表示する。個人看護情報表示手段Ｄは、また、「患者」枠とは別の画面上の頁に起呼患者に対応する「疾患情報」などの第２群個人看護情報を改頁操作により随時的に表示する。【選択図】図１
2005253979.tif 000002
【特許請求の範囲】
【請求項１】
病院内の所定の起呼場所としてのベッドに設置され、患者による起呼操作に応動して、起呼患者からの患者起呼情報を発する患者起呼情報手段（Ａ１、Ａ２）と、前記患者起呼情報手段からの患者起呼情報に応答して、起呼場所としてのベッド対応の起呼患者を特定する起呼患者特定手段（Ｂ）と、患者ごとの患者起呼情報表示部位（Ｃａ）を有し、前記起呼患者特定手段により特定された患者氏名を囲む患者枠を前記ベッドに対応させて前記患者起呼情報表示部位に前記患者枠内を変色させることによって患者起呼情報を表示する患者起呼情報表示手段（Ｃ）と、起呼患者ごとの患者状況情報（在室、外泊中、外出）、介護区分情報（担送、護送、独歩）、看護区分情報（看護度）、看護婦担当情報（看護婦チーム）、疾患情報（病名＋付記）及び医師担当情報のうち少なくとも一つを含む個人看護情報を読み出し可能に記憶する個人看護情報記憶手段（Ｅ）と、前記個人看護情報を前記個人看護情報記憶手段から読み出して前記個人看護情報の一部分を含む第１群個人看護情報を前記患者起呼情報表示部位上に形成される第１群個人看護情報表示部位（Ｄａ）においてすべての患者について経常的に表示し、前記個人看護情報の他の一部分を含む第２群個人看護情報を前記患者起呼情報表示部位の画面上の頁に後続する画面上の頁に形成される第２群個人看護情報表示部位において前記患者起呼情報表示部位で選択した患者について随時的に表示する個人看護情報表示手段（Ｄ）と、操作者による患者移動処理操作に応動して、患者移動処理信号を生成する患者移動処理信号生成手段（Ｏ）と、前記操作者による移動対象患者指定操作に応動して、移動対象患者指定信号を生成する移動対象患者指定信号生成手段（Ｐ）と、前記操作者による移動先指定操作に応動して、移動先指定信号を生成する移動先指定信号生成手段（Ｑ）と、前記患者移動処理信号、前記移動対象患者指定信号、前記移動先指定信号に応答して、移動対象患者の患者起呼情報表示部位を移動先指定部位である移動先の患者起呼情報表示部位に変更する処理に連動させて、前記個人看護情報記憶手段に記憶されている前記移動対象患者の個人看護情報のすべてを移動先の個人看護情報として記憶し直すことで患者移動処理を行う患者移動処理手段（Ｒ）とを設けることを特徴とする看護支援装置。
【請求項２】
病院内の所定の起呼場所としてのベッドに設置され、患者による起呼操作に応動して、起呼患者からの患者起呼情報を発する患者起呼情報手段（Ａ１、Ａ２）と、前記患者起呼情報手段からの患者起呼情報に応答して、起呼場所としてのベッド対応の起呼患者を特定する起呼患者特定手段（Ｂ）と、患者ごとの患者起呼情報表示部位（Ｃａ）を有し、前記起呼患者特定手段により特定された患者氏名を囲む患者枠を前記ベッドに対応させて前記患者起呼情報表示部位に前記患者枠内を変色させることによって患者起呼情報を表示する患者起呼情報表示手段（Ｃ）と、起呼患者ごとの患者状況情報（在室、外泊中、外出）、介護区分情報（担送、護送、独歩）、看護区分情報（看護度）、看護婦担当情報（看護婦チーム）、疾患情報（病名＋付記）及び医師担当情報のうち少なくとも一つを含む個人看護情報を読み出し可能に記憶する個人看護情報記憶手段（Ｅ）と、前記個人看護情報を前記個人看護情報記憶手段から読み出して前記個人看護情報の一部分を含む第１群個人看護情報を前記患者起呼情報表示部位上に形成される第１群個人看護情報表示部位（Ｄａ）においてすべての患者について経常的に表示し、前記個人看護情報の他の一部分を含む第２群個人看護情報を前記患者起呼情報表示部位の画面上の頁に後続する画面上の頁に形成される第２群個人看護情報表示部位において前記患者起呼情報表示部位で選択した患者について随時的に表示する個人看護情報表示手段（Ｄ）と、操作者による在室状況数確認操作に応動して、在室状況数確認信号を生成する在室状況数確認信号生成手段（Ｓ）と、前記在室状況数確認信号に応答して、前記個人看護情報記憶手段からすべての患者についての個人看護情報から患者状況情報（在室、外泊中、外出）を読み出し、当該読み出された患者状況情報と予め設定されたベッド総数とに基づいて、在室状況数（在室患者数、外泊患者数、外出患者数、空きベッド数）を計数する在室状況数計数手段（Ｔ）と、在室状況数を表示する在室状況数表示手段（Ｕ）とを設けることを特徴とする看護支援装置。
【請求項３】
前記第２群個人看護情報は第１群個人看護情報の一部を含むことを特徴とする請求項１又は請求項２記載の看護支援装置。
【発明の詳細な説明】
【技術分野】
【０００１】
この発明は、病院内に設置されて、患者とナースステーション間の音声通信の用に供されるインターホン装置（ナースコール装置と通称されている）であって、患者側からナースステーションへの呼び出し（以下患者起呼という）が、その呼び出しの行われる病院内の場所（以下起呼場所という）としてのベッドに対応させて、その呼び出しを行った患者（以下起呼患者という）を特定するものの拡張改良に関連し、とりわけ、ナースステーションにおける起呼患者の表示に際して、看護婦による看護活動の個別的指針を与えるような起呼患者個有の看護情報（以下、個人看護情報という）を同時的に表示可能とした看護支援装置に関する。
【背景技術】
【０００２】
病院内に設置されて、主として起呼場所としてのベッド対応の起呼患者からの患者起呼に対して、ナースステーション側の操作者（主として看護婦）が被呼者として応答し、又は逆にナースステーション側の操作者からの起呼に対して、操作者により被呼者として指定された患者（以下被呼患者という）が応答し、起呼患者と被呼者としての操作者との間、又は起呼者としての操作者と被呼患者との間に電気的通話路を確立し、両者間の通話を可能にするようなナースコール装置に関しては従前から種々のものが実用化されて多用されている。これら従前のナースコール装置は、専ら、通信装置としての機能、即ち、通話路の確立を含めた通話機能の達成を主眼とするものであった。従って、かかる従前装置にあっては、起呼患者又は被呼患者の個人看護情報に関しては、ナースコール装置とは別個独立に備えられた看護記録台帳などに帳簿形式で纏めて記録されていて、その一部分の情報、例えば、介護区分情報（担送、護送、独歩）、看護婦担当情報（看護婦チーム）、担当医師情報などがそこから抽出されて、ナースステーション内のボード上に起呼患者又は被呼患者との対応関係の特定を欠いたまま、一覧表形式で包括的に表示されるのが普通である。そして、ナースコール装置による通話路確立機能を看護記録台帳などからの個人看護情報の検索表示機能に対して連係させることで、起呼患者又は被呼患者との対応関係の下で個人看護情報を個別的に検索表示するような機能はいまだ達成されていない。近時、看護記録台帳などの個人看護情報の記録媒体自体が、コンピュータ内のファイルとして形成される場合もしばしばあるが、その場合でも、ナースコール装置による通話路確立機能と、個人看護情報の起呼患者又は被呼患者対応の個別的な検索表示機能との連係は達成されていない（例えば、特許文献１〜１１参照）。
【０００３】
【特許文献１】特開平８−６６４３４号公報
【特許文献２】特開平６−３１４３９２号公報
【特許文献３】特開平６−５４０６２号公報
【特許文献４】特開平６−１８９０１２号公報
【特許文献５】特開平４−２４６３５６号公報
【特許文献６】特開平４−１６５８５６号公報
【特許文献７】特開平７−２３９９９０号公報
【特許文献８】実公昭６３−３０４２１号公報
【特許文献９】特開平１−１１２４８０号公報
【特許文献１０】特開平７−２５４０９５号公報
【特許文献１１】特開平９−１７３３９３号公報
【発明の開示】
【発明が解決しようとする課題】
【０００４】
従前のナースコール装置にあっては、ベッド対応の起呼患者からの患者起呼情報が、ナースステーション側の操作者である看護婦に対して発せられた場合に、ナースステーション側の看護婦はそのたびに、看護活動の個別的な指針を与える起呼患者に個有の個人看護情報、例えば、介護区分情報（担送、護送、独歩）、看護区分情報（看護度）、看護担当情報（看護婦チーム）、疾患情報（病名＋付記）、医師担当情報、患者状況情報（在室、外泊中、外出）を即座に参照して適切な看護行動を起すのに、ナースコール装置とは別個独立に備えられた看護記録台帳などをいちいち捲って、又は、それに対応してコンピュータ内に形成されている看護記録ファイルをキーボード操作で検索して対処する作業は、煩雑に耐えないし、そのことに起因する看護情報の錯綜も避け難いという問題点があった。この場合、個人看護情報中の所定部分を予めナースステーション内のボード上に表示しておくにしても、通常的なボード上で表示可能な情報量（文字数）は相当に制約されたものにならざるを得ず、しかも、個人看護情報は変動性の情報であるので、ボード上での表示の書き直しなどの更新処理作業に混乱を生じ、そのことも看護情報の錯綜の原因になり易いという問題点があった。そして、このような問題点は、ナースステーション側の操作者である看護婦からの起呼情報が、ベッド対応の被呼患者に対して発せられる場合にも全く同様に妥当する。さらに、従前のナースコール装置に患者起呼情報手段として採用されている押ボタンなどは、ベッド上での起呼患者の起呼操作に応動して、患者起呼情報を発し、起呼場所としてのベッドに関係付けて、即ち、ベッド対応で、起呼患者を特定するものであるので、ベッド以外の場所、例えば、トイレ、浴室、洗面所、洗濯室、汚物室、処置室、休憩室などからの起呼情報（以下、場所起呼情報という）に関しては、起呼場所と起呼患者とを一義的に関係付けることができないので、場所起呼情報のみに基づいて、個人看護情報を参照することはできない。従って、このような場所起呼情報は、ベッド対応の患者起呼情報から区別して情報処理されない限り、個人看護情報の処理に錯綜を生じてしまうという問題点もあった。そして、上述のような場所起呼情報が発せられた場合には、ナースステーション側の操作者である看護婦は、場所起呼情報に対しても場所起呼情報が発せられた場所において、場所起呼情報を発した患者との通話を即刻開始することで、患者の状況を把握したうえで、ベッド対応の関係付けを離れて、場所起呼情報を発した患者を特定しなければならず、さもなくば、場所起呼情報を発した患者の個人看護情報を参照することができないという問題点もあった。さらに、従前のナースコール装置にあっては、ベッド対応で患者を特定する患者起呼情報に関係付けて、個人看護情報を検索表示するものである以上、患者が他のベッドに移動した場合には、移動先のベッド対応で患者を特定し直さなければならないので、従前装置がそうであったように、ナースステーション内のボードや装置近傍の表示箇所などにベッド対応で個人看護情報が表示されている場合には、そこに表示されている個人看護情報のすべてを移動先のベッド対応のものに表示し直すための表示変更作業が必要となり、このような表示変更作業は煩雑に耐えないばかりか、作業に際しての誤記などに起因して個人看護情報の表示に錯綜を生じ易いという問題点もあった。さらに、従前のナースコール装置にあっては、個人看護情報、とりわけ患者状況情報（在室、外泊中、外出）の検索処理作業との連係が確保されておらず、個人看護情報は、別個独立の看護記録ファイルの検索処理により把握されていたので、病院内を移動中の婦長や医師がハンドセット（携帯用無線送受信機）からナースコール装置のナースステーション側に対して起呼情報を発して、ナースステーション側の操作者である看護婦に空きベッド数などの在室状況数を問い合せて、即座の回答を得ることが困難であるという問題点もあった。
【０００５】
以上の諸問題点を解消するような看護支援装置を提供することが発明の課題である。
【課題を解決するための手段】
【０００６】
この発明は、上記従前装置における個人看護情報の検索処理作業の煩雑さやそれに伴う情報の錯綜の問題点に鑑み、起呼患者ごとの個人看護情報表示部位に起呼患者の個人看護情報を検索して表示することにより、上記問題点を解消し、起呼患者の確認と同時平行的に当該起呼患者の個人看護情報の確認をも可能にするものである。
【０００７】
この発明は、上記従前装置におけるベッド以外の場所対応の場所起呼情報の取扱いに起因する個人看護情報処理上の錯綜の問題点に鑑み、場所起呼情報をベッド対応の患者起呼情報から区別して情報処理することにより、上記問題点を解消し、場所起呼情報に関しては、起呼場所に関係付けるような個人看護情報の検索表示処理を行わないようにするものである。
【０００８】
この発明は、上記従前装置におけるベッド以外の場所対応の場所起呼情報を発した患者の個人看護情報の検索表示処理の問題点に鑑み、場所起呼情報が発せられた場所に居る起呼者の患者とナースステーション側の被呼者との間にも通話路を確立することにより、上記問題点を解消し、被呼者が起呼者の患者の状況を把握しながら起呼患者を特定して当該患者の個人看護情報を即座に参照可能とするものである。
【０００９】
この発明は、上記従前装置における被呼患者についての個人看護情報の検索処理作業の煩雑さやそれに伴う情報の錯綜の問題点に鑑み、ナースステーション側の操作者である看護婦からの起呼情報が被呼患者に対して発せられる場合でも、ベッド対応で被呼患者の個人看護情報を検索して表示することにより、上記問題点を解消し、被呼者の確認と同時平行的に当該被呼患者の個人看護情報を確認することをも可能にするものである。
【００１０】
この発明は、上記従前装置における患者移動時の表示変更作業の煩雑さやそれに伴う表示の錯綜の問題点に鑑み、移動対象患者の患者起呼情報表示部位を移動先の患者起呼情報表示部位に変更する処理に連動させて、移動対象患者の個人看護情報のすべてを移動先のベッド対応のものに変更することにより、上記問題点を解消し、患者移動処理時に、移動対象患者についての患者起呼情報表示部位の変更処理と同時平行的に個人看護情報についての変更処理を即座に自動的に行うことができるようにするものである。
この発明は、従前装置における空ベッド数などの在室状況数の把握の問題点に鑑み、ナースステーション側の操作者による在室状況数確認操作に応答して、個人看護情報のうちの患者状況情報（在室、外泊中、外出）とベッド総数とに基づいて在室状況数計数処理を行うことにより、上記問題点を解消し、在室状況数に関するナースコール装置経由の問い合せに対して即座の回答が得られるようにするものである。
【発明の効果】
【００１１】
この発明の構成は、病院内の所定の起呼場所としてのベッドに設置された患者起呼情報手段が患者による起呼操作に応動して、患者起呼情報を発すると、これに応答して、起呼患者特定手段が起呼場所としてのベッド対応で起呼患者を特定し、そこで特定された起呼患者の患者起呼情報を患者起呼表示手段が当該起呼患者の患者起呼情報表示部位に表示し、これに連動して、個人看護情報表示手段が当該特定された起呼患者の個人看護情報、例えば患者状況情報（在室、外泊中、外出）、介護区分情報（担送、護送、独歩）、看護区分情報（看護度）、看護婦担当情報（看護婦チーム）、疾患情報（病名＋付記）、医師担当情報などを個人看護情報記憶手段Ｅから読み出して、当該起呼患者の個人看護情報表示部位に表示するように作用する。
とりわけ、この発明の構成は、個人看護情報のうちの患者状況情報、介護区分情報、看護婦担当情報などの第１群個人看護情報を患者起呼情報表示部位と画面上の同一頁に形成された第１群個人看護情報表示部位に表示し、個人看護情報のうちの看護区分情報、疾患情報、医師担当情報などの第２群個人看護情報を患者起呼情報表示部位の画面上の頁に後続する画面上の頁に形成された第２群個人看護情報表示部位に表示するように作用する。
【００１２】
この発明の構成は、病院内の所定の起呼場所としてのベッド以外の場所、例えば、トイレ、浴室、洗面所、洗濯室、汚物室、処置室、休憩室などに設置された場所起呼情報手段がそこで患者による起呼操作に応動して場所起呼情報を発すると、これに応答して、起呼場所特定手段がベッド以外の場所対応で起呼場所を特定し、そこで特定された起呼場所の場所起呼情報を場所起呼表示手段が該当の場所起呼情報表示部位に表示し、その際、個人看護情報表示手段の表示動作をこれに自動的に連動させないように作用する。
【００１３】
この発明の構成は、患者起呼情報又は場所起呼情報を確認して、ナースステーション側の操作者が被呼通話操作を行うと、それに応動して、被呼通話信号生成手段が被呼通話信号を生成し、これに応答して、インターホンなどの電気的通話手段が起呼患者特定手段により特定された起呼患者又は起呼場所特定手段により特定された起呼場所とナースステーション側の操作者との間に電気的通話路を確立し、起呼患者又は起呼場所と操作者とを通話可能にするように作用する。
【００１４】
この発明の構成は、ナースステーション側の操作者がベッド対応で被呼患者指定操作を行うと、これに応動して、被呼患者指定手段が被呼患者を指定し、次いで操作者が起呼通話操作を行うと、これに応動して、起呼通話信号生成手段がナースステーション側からの起呼信号を生成し、これに応答して、電気的通話手段が指定された被呼患者とナースステーション側の操作者との間に電気的通話路を確立し、被呼患者と操作者とを通話可能にするように作用する。
この発明の構成は、操作者による患者移動処理操作に応動して、患者移動処理信号生成手段が患者移動処理信号を生成し、操作者による移動対象患者指定操作に応動して、移動対象患者指定信号生成手段が移動対象患者指定信号を生成し、操作者による移動先指定操作に応動して、移動先指定信号生成手段が移動先指定信号を生成し、患者移動処理手段が患者移動処理信号と移動対象患者指定信号と移動先指定信号とに応答して、移動対象患者の患者起呼情報表示部位を移動先指定部位である移動先の患者起呼情報表示部位に変更する処理に連動させて、個人看護情報記憶手段に記憶されている移動対象患者の個人看護情報のすべてを移動先の個人看護情報として記憶し直すことで、患者移動処理を行うように作用する。
【００１５】
この発明の構成は、操作者による在室状況数確認操作に応答して、在室状況数確認信号生成手段が在室状況数確認信号を生成し、在室状況数確認信号に応答して、在室状況数計数手段が個人看護情報記憶手段からすべての患者についての個人看護情報中の患者状況情報（在室、外泊中、外出）を読み出し、当該読み出された患者状況情報と予め設定されたベッド総数とに基づいて、在室状況数（在室患者数、外泊患者数、外出患者数、空きベッド数）を計数し、在室状況数表示手段が在室状況数を表示するように作用する。
【発明を実施するための最良の形態】
【００１６】
この発明の実施の形態について、図１以下の図面を参照しつつ説明すれば以下のとおりである。
【００１７】
図２は、１つの実施の形態としての装置全体のハードウエア上の構成を示すブロック図であり、病院内の病室などに設置された多数のナースコール押ボタン１のうちの１つと、これに対応して設置されたインターホン子機２とが途中分岐で、病院内に布設された通信線３に接続されていて、この通信線３経由でナースステーションに設置された通信制御装置４に接続されている。
【００１８】
ナースステーションでは、通信制御装置４の近傍に、インターホン親機５のほか、マイクロコンピュータを含みサーバなどの記憶装置を備えたデータ処理装置６が設置されていて、その上部には、さらにタッチパネル７を備えたＣＲＴディスプレイ８が設置されていて、データ処理装置６に対して電気的に接続されている。
【００１９】
さらに好適には、通信制御装置４に対して無線制御機９を介して、接続無線機１０が電気的に接続されていて、複数の携帯用無線電話機１１をインターホン親機５との代替でインターホン子機２に対して通話可能にしている。図２に示されるハードウエア上の構成の動作について図１のクレーム対応図と対比しつつ以下に説明を進める。
【００２０】
病室内の所定の起呼場所としてのベッドに対して固定的に対応させて設置されたナースコール押ボタン１を患者が押込んで起呼操作を行うと、これに応動して、ナースコール押ボタン１が接点閉成動作などにより、通信制御装置４に対してベッド対応の患者起呼情報を発する。かくて、ナースコール押ボタン１は、図１における患者起呼情報手段Ａ１を構成し、各ベッド対応の各ナースコール押ボタン（図２中での図示が省略されている）は同様に図１における患者起呼情報手段Ａ２以下を構成する。
【００２１】
ベッド対応の患者起呼情報を受けた通信制御装置４は、「押された」ナースコール押ボタン１を常法により特定することで、そのナースコール押ボタン１が設置されているベッドを特定し、これにより、間接的にそのベッドに割当てられた患者を起呼患者として特定する。かくて、この場合、通信制御装置４は、図１における起呼患者特定手段Ｂを構成する。
【００２２】
次いで、通信制御装置４で構成される起呼患者特定手段Ｂから、ベッド対応で特定可能な起呼患者の患者起呼情報を受けたデータ処理装置６は、マイクロコンピュータのプログラム実行により実現される図１中の患者起呼情報表示手段Ｃを介して、当該起呼患者に対して固定的に割当てられて、ＣＲＴディスプレイ８の画面上に地図様に実現される患者起呼情報表示部位Ｃａに該当の起呼患者からの患者起呼情報を表示する。この場合の患者起呼情報のＣＲＴディスプレイ８の画面上での表示形態の一例が図３Ａに示されていて、図中において、患者氏名を囲む「患者」枠がベッドに対応（「患者」枠内左上の数字は患者番号である）しているが、患者起呼情報の表示は、該当の「患者」枠内全体を変色させることにより好適に行われる。
【００２３】
そして、ここでの患者起呼情報表示手段Ｃを実現するのに、データ処理装置６内のマイクロコンピュータで実行されるプログラムフローを例示するのが図４である。
【００２４】
図４において、マイクロコンピュータがスタート（図４中ａ）すると、先ず、ナースコール押ボタン１が押されたかどうかを判別し（図４中ｂ）、該押ボタン１が押されて、ここでの判別結果が「Ｙｅｓ」に転ずるのを待つ。判別結果が「Ｙｅｓ」に転じた場合には、マイクロコンピュータは、起呼情報を受信した通信制御装置４において特定済みの「押された」押ボタンのハードウエア上のアドレスと当該押ボタンの「押された」状態とを通信制御装置４から読み込む（図４中ｃ）。次いで、マイクロコンピュータは、「押された」押ボタンのハードウエア上のアドレスに基づいて、「押された」押ボタンがヘッド対応のもの、従って、ここでの起呼情報が患者起呼情報であるのか、或いは、当該押ボタンが「トイレ」などの場所対応のもの、従って、ここでの起呼情報が場所起呼情報であるのかを判別し（図４中ｄ）、起呼情報が場所起呼情報であって、ここでの判別結果が「Ｎｏ」である場合（図４中ｅ）には、後に説明する図５のフローチャートに従う演算処理を実行するのであるが、起呼情報が患者起呼情報であって、ここでの判別結果が「Ｙｅｓ」である場合には、当該押ボタンのハードウエア上のアドレスから、対応のベッド番号をテーブル検索により特定する（図４中ｆ）。続いて、マイクロコンピュータは、ＣＲＴディスプレイ８上での患者起呼情報の表示形態を特定するための表示信号を生成して（図４中ｇ）、これをＣＲＴディスプレイ８に対して出力すると、ＣＲＴディスプレイ８の画面上には、図３Ａに示されるような表示形態の患者起呼情報表示部位Ｃａが形成されて、ここにおいて、「押された」押ボタンに対応する「患者」枠（図３Ａ中Ｃａ）内全体が変色することで、患者起呼の発生が患者を特定して好適に表示される（図４中ｈ）。
【００２５】
図２に戻って、多数のナースコール押ボタン１の中には、ベッド対応で図１の患者起呼情報手段Ａ１、Ａ２…を構成するもののほか、病院内の所定の起呼場所としてのベッド以外の場所、例えば、トイレ、浴室、洗面所、洗濯室、汚物室、処置室、休憩室などに設置されていて、それが押し込まれると、それを押し込んだ起呼患者に関係付けられる患者起呼情報を発するのではなく、それが押し込まれた場所のみに関係付けられる場所起呼情報を発するものがある。そのような場所起呼情報を発するナースコール押ボタン１を所定の起呼場所で患者が押し込んで起呼操作を行うと、これに応動して、ナースコール押ボタン１が今度は、通信制御装置４に対してベッド以外の起呼場所対応の場所起呼情報を発する。かくて、この場合のナースコール押ボタン１は、図１における場所起呼情報手段Ｆ１を構成し、ベッド以外の各場所対応の各ナースコール押ボタンは同様に図１における場所起呼情報手段Ｆ２以下を構成する。
【００２６】
場所起呼情報を受けた通信制御装置４は、患者起呼情報の場合と同様に作動し、ナースコール押ボタン１が押し込まれた場所を起呼場所として特定するが、ナースコール押ボタンを押した起呼患者を特定することはしない。かくて、この場合、通信制御装置４は図１における起呼場所特定手段Ｇを構成する。
【００２７】
次いで、起呼場所特定手段Ｇから場所起呼情報を受けたデータ処理装置６は、マイクロコンピュータのプログラム実行により実現される図１中の場所起呼情報表示手段Ｈを介して、当該起呼場所に固定的に割当てられて、ＣＲＴディスプレイ８の画面上に地図様に実現される場所起呼情報表示部位Ｈａに該当の起呼場所からの場所起呼情報を表示するが、このとき、個人看護情報の表示には関与しない。この場合の場所起呼情報に関してのＣＲＴディスプレイ８の画面上での表示形態例も図３Ａ中に示されていて、図中において、「トイレ」「浴室」「洗面所」「洗濯室」「汚物室」「処置室」「休憩室」の表記を囲む「場所」枠（図３Ａ中Ｈａ）内全体を変色させることで、場所起呼情報の表示が好適に行われる。
【００２８】
そして、ここで場所起呼情報表示手段Ｈを実現するのに、データ処理装置６内のマイクロコンピュータにより実行されるプログラムのフローを例示するのが図５である。
【００２９】
図５において、ステップａ〜ｃは、図４におけるステップａ〜ｃと同一のものであり、ステップｃの実行に続いて、マイクロコンピュータは、図４におけるステップｄと同様のステップを実行して、この場合の起呼情報が場所起呼情報であるのか、或いは、患者起呼情報であるのかを判別し（図５中ｄ）、起呼情報が患者起呼情報であって、ここでの判別結果が「Ｎｏ」である場合（図５中ｅ）には、説明済みの図４のフローチャートに従う演算処理を実行するのであるが、起呼情報が場所起呼情報であって、ここでの判別結果が「Ｙｅｓ」である場合には、「押された」押ボタンのハードウエア上のアドレスに基づいて、対応の場所番号を特定する（図５中ｆ）。続いて、マイクロコンピュータは、図４におけるステップｇ、ｈと同様のステップを実行して、ＣＲＴディスプレイ８の画面上に形成される図３Ａ例示の表示形態の場所起呼情報表示部位Ｈａにおいて、「押された」押ボタンに対応する「場所」枠（図３Ａ中Ｈａ）内全体を変色させることで、場所起呼の発生を場所ごとに好適に表示する（図５中ｇ、ｈ）。
【００３０】
以上の説明は、患者起呼情報、即ち、患者ごとに、患者起呼が発生したかどうかの情報をＣＲＴディスプレイ８の画面上で「押された」押ボタンに対応する患者起呼情報表示部位としての「患者」枠（図３Ａ中Ｃａ）全体の変色により表示し、さらには、これと同時並行的な場所起呼情報、即ち、「トイレ」などの場所ごとに、場所起呼が発生したかどうかの情報を、同様に、「押された」押ボタンに対応する場所起呼情報表示部位としての「場所」枠（図３Ａ中Ｈａ）全体の変色により表示する場合の動作例に関するものであるが、患者ごとの既述の個人看護情報の１部分（第１群個人看護情報）を上述の患者起呼情報との関連付けが容易な表示形態で、ＣＲＴディスプレイ８の画面上に経常的に表示し、さらに、当該個人看護情報の他の１部分（第２群個人看護情報）をＣＲＴディスプレイ８の画面上にタッチ操作により随時的に表示し、とりわけ、上述の患者起呼情報の発生時には、これに対処するタッチ操作により、上記第２群個人看護情報を上述の患者起呼情報に対して有効に関連付けて表示可能にする場合の動作例に関して説明を進めると、以下のとおりである。
【００３１】
即ち、図２に戻って、データ処理装置６は、プログラムの実行により実現される図１中の個人看護情報表示手段Ｄを介して、当該起呼患者に対して固定的に割当てられて、ＣＲＴディスプレイ８の画面上に実現される個人看護情報表示部位Ｄａにすべての起呼患者の個人看護情報を公知の記憶媒体で成る個人看護情報記憶手段Ｅから読み出して表示する。この場合の個人看護情報のＣＲＴディスプレイ８の画面上での表示形態の一例が図３Ｂに示されていて、図中において、患者起呼情報表示部位としての「患者」枠Ｃａ内の右上隅部のドットａを３色に変色させることで、介護区分情報、即ち、担架使用の「担送」と看護婦付添の「護送」と単独移動の「独歩」とを区別する表示が好適に行われる。
【００３２】
同様に、図３Ｂ中において、「患者」枠内の右上隅部のドットａの左側のマークｂを３通り（例えば、「マークなし」「三角」「四角」）に変化させることで、患者状況情報、即ち、「在室」と「外泊中」と「外出」とを区別する表示が好適に行われる。
【００３３】
さらに同様に、図３Ｂ中において、「患者」枠Ｃａ内の左上隅部の三角マークｃを５色に変色させることで、看護婦担当情報、即ち、５個の看護婦チームを区別する表示が好適に行われる。なお、「患者」枠Ｃａ内の文字ｄは患者氏名を表すものであり、当該文字ｄの左上部に位置する数字ｅはベッド番号を表すものである。
【００３４】
そして、図３Ｂに抽出例示された表示形態の場合には、ＣＲＴディスプレイ８の画面上に実現される患者起呼情報表示部位Ｃａと個人看護情報表示部位Ｄａとが画面上の同一頁に形成されているが、データ処理装置６により、個人看護情報表示手段Ｄを介して、個人看護情報の一部分である第１群個人看護情報を患者起呼情報表示部位Ｃａと画面上の同一頁（図示の例では同一部位）に形成された第１群個人看護情報表示部位Ｄａに表示し、一方、個人看護情報の残りの一部分である第２群個人看護情報を患者起呼情報表示部位Ｃａの画面上の頁に後続する画面上の別の頁（図示の例では次頁）に形成された第２群個人看護情報表示部位に表示してもよい。こうすることにより、患者起呼情報表示部位Ｃａと画面上の同一頁において、瞬時的に視認容易に表示可能な情報量に対する表示部位面積上の制約から解放されて、「頁捲り」の電気的操作と瞬時的な視認容易性の若干の減退という代償を払うだけで、表示可能な個人看護情報の情報量を格段に増大させることができる。この場合の代償の観点からすれば、第１群個人看護情報として「患者状況情報」「介護区分情報」「看護婦担当情報」を選定し、第２群個人看護情報として「看護区分情報」「疾患情報」「医師担当情報」と第１群個人看護情報自体を選定するのが好適である。
【００３５】
さらにＣＲＴディスプレイ８の画面上には、公知のタッチパネル（例えば、タッチパネルシステムズ株式会社製タッチモニターＭＯＤＥＬ６４５０ＴＤ１７／Ｄとして市販されている）がハードウエア上の構成として組み込まれていて、かかるタッチパネルは画面上に表示された所定の操作部位ないし指令部位に対して操作者が体接触を与えることで、これに応動して、画面自体から直接的に所定の操作信号ないし指令信号を生成可能とするものである。
【００３６】
図３Ａに戻って、患者起呼情報表示部位Ｃａと同一画面上の頁の右端列、第３行の「個人情報」枠ａ（「個人看護情報」が略記されたもの）の操作部位に対して操作者が指などを触れて体接触を与えると、当該操作部位からの改頁操作信号を受けたデータ処理装置６は、個人看護情報表示手段Ｄを介して、図３Ｃに例示されるような表示形態で第２群個人看護情報の頁をＣＲＴディスプレイ８の画面上に表示する。
【００３７】
図３Ｃの画面表示形態において、上半面（中央の仕切横線の上側）Ａは、患者を特定するための書誌的事項であり、下半面（中央の仕切横線の下側）Ｂの第１行の「科名」（図３Ｃ中ａ）及び「医師」（図３Ｃ中ｂ）は医師担当情報であり、同行の「看護婦」（図３Ｃ中ｃ）及び「Ｇ」（図３Ｃ中ｄ）（チームを意味する）は看護婦担当情報であり、第２行の「病名」（右側の合併症記入欄を含む）（図３Ｃ中ｅ）及び第３行の「入院日時」（図３Ｃ中ｆ）「入院事由」（図３Ｃ中ｇ）は疾患情報であり、第４行の「介護区分」（図３Ｃ中ｈ）は介護区分情報であり、同行の「看護度」（図３Ｃ中ｉ）「重症設定」（図３Ｃ中ｊ）は看護度情報であり、第４行の「在室」（図３Ｃ中ｋ）は患者状況情報である。
【００３８】
ここに言う「看護度」（図３Ｃｉ）としては、例えば、「観察の必要程度」と「生活の自由度」の２つの観点からの以下のような等級化に従って、２つの観点から評価された２つの等級の組み合わせによる表現が看護実務上、好適に採用可能である。
【００３９】
「観察の必要程度」
Ａ：絶えず観察が必要
Ｂ：１〜２時間ごとの観察が必要
Ｃ：特段の観察が不必要
「生活の自由度」
１：常に寝たまま
２：ベッドの上で体を起こせる
３：病室内歩行ができる
４：日常生活に不自由がない
そして、上述の第２群個人看護情報を表示する場合の個人看護情報表示手段Ｄを実現するのに、データ処理装置６内のマイクロコンピュータにより実行されるプログラムフローを例示するのが図６である。
【００４０】
図６において、マイクロコンピュータがスタートすると（図６中ａ）、ＣＲＴディスプレイ８の画面上の図３Ａ例示の表示形態での「患者」枠（図３Ａ中Ｃａ）対応のタッチパネル７が操作者により体接触（タッチ）されたかどうかを判別し（図６中ｂ）、当該タッチパネルがタッチされて、ここでの判別結果が「Ｙｅｓ」に転ずるのを待つ。判別結果が「Ｙｅｓ」に転じた場合には、マイクロコンピュータは、さらに、上記図３Ａ例示の表示形態での「個人情報」枠（図３Ａ中ａ）対応のタッチパネル７が操作者により体接触（タッチ）されたかどうかを判別し（図６中ｃ）、ここでの判別結果が「Ｙｅｓ」に転ずるのを待つ。判別結果が「Ｙｅｓ」に転じた場合には、次いで、マイクロコンピュータは、「タッチされた」「患者」枠Ｃａ対応のタッチパネル７のハードウエア上のアドレスに対応するベッド番号をテーブル検索により特定して（図６中ｄ）から、ここで特定されたベッド番号をキーにして、ベッド番号対応で、個人看護情報記憶手段（図１中Ｅ）に形成されている個人看護情報ファイルから、「タッチされた」「患者」枠対応のものを呼び出す（図６中ｅ）。続いて、マイクロコンピュータは、呼び出された個人看護情報ファイルに基づいて、ＣＲＴディスプレイ８上での個人看護情報の表示形態を特定するための表示信号を生成して（図６中ｆ）、これをＣＲＴディスプレイ８に対して出力すると、ＣＲＴディスプレイ８の画面上には、図３Ｃに示されるような表示形態の第２群個人看護情報表示部位Ｄａが形成されて、ここにおいて、「タッチされた」「患者」枠対応の第２群個人看護情報が表示される（図６中ｇ）。なお、ＣＲＴディスプレイ８の画面上の患者起呼情報表示部位Ｃａに図３Ｂ例示の表示形態ですべての患者について経常的に表示されるような第１群個人看護情報に関しては、図６中のステップｄ〜ｇを、すべての「患者」枠について巡回的に繰り返し実行することで、患者起呼情報表示部位Ｃａに重畳表示可能である。
【００４１】
ここで再び、図２に戻って、ＣＲＴディスプレイ８の画面上に地図様に実現された患者起呼情報表示部位Ｃａの「患者」枠又は同様に実現された場所起呼情報表示部位Ｈａの「場所」枠の変色により、記載順序に対応して患者起呼情報又は場所起呼情報を視認し、これと同時的に、通信制御装置４経由の常法によるインターホン親機５からの呼び出し鳴動音を聴取したナースステーション側操作者の看護婦は、ＣＲＴディスプレイ８の画面上の患者起呼情報表示部位Ｃａ及び場所起呼情報表示部位Ｈａと同一頁に形成された被呼通話操作部位、即ち、図３Ａに示されている表示形態例によれば、画面の右端列最下行の「通話」枠ｂに対して体接触を与えるようにして、被呼通話操作を行うと、これに応動して、答当該画面上のタッチパネル７の当該部位から直接的に被呼通話信号が生成されて、これが、データ処理装置６を介して、通信制御装置４に伝えられる。かくて、ここでのＣＲＴディスプレイ８のタッチパネル７は図１における被呼通話信号生成手段Ｉを構成する。
【００４２】
このとき、すでに、ナースコール押ボタン１が押込まれて発せられた患者起呼情報又は場所起呼情報を受けた通信制御装置４は、常法により、図１における起呼患者特定手段Ｂ又は起呼場所特定手段Ｇとして作動して、押し込まれたナースコール押ボタン１とインターホン親機５との間の通信線３の接続関係、ひいては、当該ナースコール押ボタンに対応してそこに分岐接続されているインターホン子機２とインターホン親機５との間の通信線３の接続関係を特定しているので、タッチパネル７からの被呼通話信号に応答して、当該ナースコール押ボタン１に対応する起呼患者又は起呼場所に関係付けられたインターホン子機２とナースステーション側のインターホン親機５との間にインターホンシステムとしての電気的通話路を確立することで、起呼患者又は起呼場所とナースステーション側の操作者とを通話可能にする。かくて、ここでの通信制御装置４に制御されるインターホン子機２とインターホン親機５は図１における電気的通話手段ＪＡ、ＪＢを構成する。
【００４３】
なお、図２に示されている構成では、病院内で移動中の看護婦も、無線制御機９、接続無線機１０経由で携帯用無線機１１から発せられる患者起呼情報又は場所起呼情報を確認可能であるので、ナースステーション側操作者による被呼通話操作に代えて、病院内で移動中の看護婦が携帯用無線機１１に対して被呼通話操作を行うことで、ナースステーション側操作者に代って、当該移動中の看護婦が携帯用無線機１１経由で起呼患者又は起呼場所と通話することができる。
【００４４】
ところで、上述のような患者起呼情報又は場所起呼情報の確認に基づく被呼通話操作の際に、データ処理装置６は、通信制御装置４で構成される起呼患者特定手段Ｂ、起呼場所特定手段Ｇによる起呼患者特定動作又は起呼場所特定動作に連係して、被呼通話操作による被呼通話信号の生成時点以前に２以上の患者起呼情報又は場所起呼情報を検出した場合、即ち、重複起呼情報の場合には、内蔵のマイクロコンピュータのプログラム実行により実現される優先通話起呼患者・場所特定手段Ｋが通常的な記憶媒体で成る通話優先順位情報記憶手段Ｌから、当該検出された重複起呼情報を発した起呼患者又は起呼場所の各々について予め設定された通話優先順位情報を読み出して、これに基づいて優先通話起呼患者又は優先通話起呼場所を特定することで、通信制御装置４により制御されるインターホン子機２とインターホン親機５とで構成される電気的通話路ＪＡ、ＪＢにおいて、インターホン親機５又はインターホン子機１１と、優先通話起呼患者又は優先通話起呼場所に関係付けられたインターホン子機２との間に電気的通話路を確立させる。
【００４５】
そして、ここで優先通話起呼患者・場所特定手段Ｋを実現するのに、データ処理装置６内蔵のマイクロコンピュータにより実行されるプログラムのフローを例示するのが図７Ａ、図７Ｂである。
【００４６】
図７Ａにおいて、先ず、通話優先順位設定のための処理として、マイクロコンピュータがスタートすると（図７Ａ中ａ）、ＣＲＴディスプレイ８の画面上の図３Ａ例示の表示形態での「患者」枠（図３Ａ中Ｃａ）、又は「場所」枠（図３Ａ中Ｈａ）対応のタッチパネル７が操作者により、通話優先順位設定対象の「患者」枠又は「場所」枠として体接触（タッチ）されたかどうかを判別し（図７Ａ中ｂ）、当該タッチパネルがタッチされて、ここでの判別結果が「Ｙｅｓ」に転ずるのを待つ。判別結果が「Ｙｅｓ」に転じた場合には、マイクロコンピュータは、さらに、上記図３Ａ例示の表示形態での「優先順位」枠（図３Ａ中ｃ）対応のタッチパネル７が操作者により体接触（タッチ）されたかどうかを判別し（図７Ａ中ｃ）、ここでの判別結果が「Ｙｅｓ」に転ずるのを待つ。判別結果が「Ｙｅｓ」に転じた場合には、次いで、マイクロコンピュータは、例えば、上記図３Ａ例示の表示形態中に部分的に抽出表示（ポップアップ）される数字キー対応のタッチパネル７に対する体接触（タッチ）によるキー操作を読み込んで、通話優先順位を設定して（図７中ｄ）から、ここで設定された「患者」枠又は「場所」枠ごとの通話優先順位を通話優先順位記憶手段（図２中Ｌ）内に、当該「患者」枠対応のベッド番号又は当該「場所」枠対応の場所番号をキーとして読み出し可能に記憶する（図７Ａ中ｅ）。このような通話優先順位設定のための処理の終了後に、設定された通話優先順位に従って、同時的発生の複数の起呼情報対応の複数の起呼患者又は起呼場所のうちの、優先起呼患者又は優先起呼場所のインターホン子機（図２中２）に対してインターホン親機（図２中５）の通話接続を行う場合には、スタート（図７Ｂ中ａ）したマイクロコンピュータが、インターホン親機（図２中５）のフックが上げられ（オフされ）たかどうかを判別し（図７Ｂ中ｂ）、ここでの判別結果が「Ｙｅｓ」に転ずるのを待つ。判別結果が「Ｙｅｓ」に転じた場合には、マイクロコンピュータは、起呼情報を受診した通信制御装置４において特定済みの「押された」押ボタンのハードウエア上のアドレスと当該押ボタンの「押された」状態とを通信制御装置４から読み込む（図７Ｂ中ｃ）。次いで、マイクロコンピュータは、当該押ボタンのハードウエア上のアドレスから、対応のベッド番号又は対応の場所番号をテーブル検索により特定する（図７Ｂ中ｄ）。ここで特定されたベッド番号又は場所番号をキーとして、マイクロコンピュータは、上述の通話優先順位記憶手段（図１中Ｌ）内に図７Ａ例示のフローチャートに沿う演算処理により予め記憶されている起呼情報ごとの通話優先順位を同時的発生の複数の起呼情報のすべてについて読み出しておいて（図７Ｂ中ｅ）、このような同時的発生の複数の患者起呼情報の中から、ここで読み出された通話優先順位の最上位のもの（同順位のものが複数存在する場合には、例えば、当該同順位のものの中で「押された」押ボタンのハードウエア上のアドレスが最小のもの）を発した起呼患者を優先通話起呼患者として特定し、同様に、同時的発生の複数の場所起呼情報の中から、ここで読み出された通話優先順位の最上位のものを発した起呼場所を優先通話起呼場所として特定し（図７Ｂ中ｆ）、現在の優先通話起呼患者又は優先通話起呼場所による通話が終了した場合には、残りの複数の患者起呼情報又は場所起呼情報の中から、同様処理により、次ぎの優先通話起呼患者又は優先通話起呼場所を特定し直す。
【００４７】
続いて、マイクロコンピュータは、ここで特定された優先通話起呼患者のベッド番号又は優先通話起呼場所の場所番号を通話制御装置４に転送することで、インターホン親機（図２中５）と優先通話起呼患者又は優先通話起呼場所対応のインターホン子機２との間に電気的通話路を確立する（図７Ｂ中ｇ）。
【００４８】
ところで、通話優先順位情報記憶手段Ｌに対して予め設定されるベッド対応の各起呼患者についての通話優先順位情報に関しては、個人看護情報記憶手段Ｅに予め記憶されている各患者の個人看護情報のうち、とりわけ、看護区分情報を参考にして、評価決定されるのが好適であると言える。
【００４９】
一方、同様に通話優先順位情報記憶手段Ｌに対して予め設定されるベッド以外の場所対応の各起呼場所についての通話優先順位情報に関しては、看護上の経験則に照らして、「トイレ」「浴室」などのように、患者の容態が急変し易い場所に対して高い通話優先順位を割当てるのが好適であると言える。
【００５０】
以上に言及されている実施形態の動作例では、起呼情報が患者起呼情報又は場所起呼情報として、ナースコール押ボタン１から発せられているが、逆にナースステーション側の操作者からベッド対応の被呼患者に対して起呼情報を発する場合には、操作者が、ＣＲＴディスプレイ８の画面上の患者起呼情報表示部位Ｃａ及び場所起呼情報表示部位Ｈａと同一頁に形成された被呼患者指定部位、即ち、図３Ａに示されている表示形態例によれば、患者起呼情報表示部位の「患者」枠Ｃａそのものの上に形成されたベッド対応の所望の被呼患者指定部位に対して体接触を与えるようにして、被呼患者指定操作を行うと、これに応動して、ＣＲＴディスプレイ８の画面上のタッチパネル７の当該部位から直接的に生成される被呼患者指定信号がデータ処理装置６を介して、通信制御装置４に伝えられて、ナースステーション側のインターホン親機５に接続されるべきベッド対応のインターホン子機２が指定される。かくて、ここでのＣＲＴディスプレイ８の画面上のタッチパネル７は、図１における被呼患者指定手段Ｍを構成する。
【００５１】
次いで、操作者が、ＣＲＴディスプレイ８の画面上の患者起呼情報表示部位Ｃａ及び場所起呼情報表示部位Ｈａと同一頁に形成されたナースステーション側からの通話操作のための起呼通話操作部位、即ち、図３Ａに示されている表示形態例によれば、画面の右端列最下行に位置し、既述の被呼通話操作部位そのものである「通話」枠ｂに対して体接触を与えるようにして、起呼通話操作を行うと、これに応動して、当該画面上のタッチパネル７の当該部位から直接的に起呼通話信号が生成されて、これがデータ処理装置６を介して通信制御装置４に伝えられる。かくて、ここでのタッチパネル７は図１における起呼通話信号生成手段Ｎを構成する。
【００５２】
次いで、ナースステーション側のインターホン親機５とベッド対応のインターホン子機２との間の通話線３の接続関係を常法により特定した通信制御装置４は、タッチパネル７からの起呼通話信号を受けて、インターホン親機５と指定されたインターホン子機２との間にインターホンシステムとしての電気的通話路を確立することで、ナースステーション側の操作者とベッド対応の被呼患者とを通話可能にする。かくて、ここでの通信制御装置４により制御されるインターホン親機５とインターホン子機２は図１における電気的通話手段ＪＡに包含される。続いて、病院内の患者が医療役務上の都合や患者自身の希望などにより、或るベッドから他のベッドに移動する場合の実施形態の動作について以下に説明する。
【００５３】
患者のベッド移動に際して、ナースステーション側の操作者が、ＣＲＴディスプレイ８の画面上の患者起呼情報表示部位Ｃａ及び場所起呼情報表示部位Ｈａと同一頁に形成された患者移動処理操作部位、即ち、図３Ａに示されている表示形態例によれば、画面の右端列下から第４行に位置する「病床移動」枠ｄに対して体接触を与えるようにして、患者移動処理操作を行うと、これに応動して、当該画面上のタッチパネル７の当該部位から直接的に患者移動処理信号が生成されて、該信号がデータ処理装置６に伝えられる。かくて、ここでのタッチパネル７は図１における患者移動処理信号生成手段Ｏを構成する。次いで、操作者がＣＲＴディスプレイ８の画面上の患者起呼情報表示部位Ｃａ及び場所起呼情報表示部位Ｈａと同一頁に形成された移動対象患者指定操作部位、即ち、図３Ａに示されている表示形態例によれば、患者起呼情報表示部位そのもので或る「患者」枠Ｃａに対して体接触を与えるようにして、移動対象患者指定操作を行うと、これに応動して、当該画面上のタッチパネル７の当該部位から直接的に移動対象患者指定信号が生成されて、これがデータ処理装置６に伝えられる。かくて、ここでのタッチパネル７は、図１における移動対象患者指定信号生成手段Ｐを構成する。さらに続いて、操作者が、ＣＲＴディスプレイ８の画面上の患者起呼情報表示部位Ｃａ及び場所起呼情報表示部位Ｈａと同一頁に形成された移動先指定操作部位、即ち、図３Ａに示されている表示形態例によれば、患者起呼情報表示部位そのものである「患者」枠Ｃａに対して体接触を与えるようにして、移動先指定操作を行うと、これに応動して、当該画面上のタッチパネル７の当該部位から直接的に移動先指定信号が生成されて、これがデータ処理装置６に伝えられる。かくて、ここでのタッチパネル７は、図１における移動先指定信号生成手段Ｑを構成する。そして、このとき、データ処理装置６内のマイクロコンピュータのプログラム実行により実現される図１中の患者移動処理手段Ｒは、患者移動処理信号生成手段Ｏからの患者移動処理信号と移動対象患者指定信号生成手段Ｐからの移動対象患者指定信号と、移動先指定信号生成手段Ｑからの移動先指定信号とに応答して、移動対象患者の患者起呼情報表示部位を移動先指定部位である移動先の患者起呼情報表示部位に変更する処理を行う。移動処理の場合のＣＲＴディスプレイ８の画面上の表示形態例は、図３Ａに示されている患者起呼情報表示部位Ｃａそのものであり、これに対して、移動処理を施して、例えば、移動対象患者指定操作により図３Ａ例示の表示形態における左端列第１行（図３Ａ中ｅ）の「００８３綱島一郎」（００８３はベッド番号である）を指定し、移動先指定操作により図３Ａ例示の表示形態における左端列第６行（図３Ａ中ｆ）の「００６１−」（００６１はベッド番号である）を指定すると、図３Ａ中ｅの「００８３綱島一郎」が図３Ａ中ｆの「００６１−」に移動する。その際、かかる患者起呼情報表示部位Ｃａ上の表示変更に連動して、個人看護情報記憶手段Ｅに記憶されている個人看護情報のうち、移動対象患者、例えば、この動作例における図３Ａ中ｅの「００８３綱島一郎」の個人看護情報のすべてが移動先、例えば、この動作例における図３Ａ中ｆの「００６１−」の個人看護情報として記憶し直される。そして、ここで患者移動処理手段Ｒを実現するのに、データ処理装置６内のマイクロコンピュータにより実行されるプログラムのフローを例示するのが図８である。
【００５４】
図８において、マイクロコンピュータがスタートすると（図８中ａ）、ＣＲＴディスプレイ８の画面上の図３Ａ例示の表示形態において、「患者」枠（図３Ａ中Ｃａ）対応のタッチパネル７が操作者により、移動対象の「患者」枠として体接触（タッチ）されたかどうかを判別し（図８中ｂ）、当該タッチパネルがタッチされて、ここでの判別結果が「Ｙｅｓ」に転ずるのを待つ。判別結果が「Ｙｅｓ」に転じた場合には、マイクロコンピュータは、さらに、上記図３Ａ例示の表示形態において、患者移動処理信号生成用の「病床移動」枠（図３Ａ中ｄ）が操作者により、体接触（タッチ）されたかどうかを判別し（図８中ｃ）、当該タッチパネルがタッチされて、ここでの判別結果が「Ｙｅｓ」に転ずるのを待つ。判別結果が「Ｙｅｓ」に転じた場合には、マイクロコンピュータは、さらに、上記図３Ａ例示の表示形態において、別の「患者」枠（図３Ａ中Ｃａ）（但し、患者名未記入の空ベッド対応のものも含まれる）対応のタッチパネル７が操作者により、移動先の「患者」枠として体接触（タッチ）されたかどうかを判別し（図８中ｄ）、当該タッチパネルがタッチされて、ここでの判別結果が「Ｙｅｓ」に転ずるのを待つ。判別結果が「Ｙｅｓ」に転じた場合には、次いで、マイクロコンピュータは、「タッチ」された移動対象の「患者」枠（図３Ａ中ｅ）対応のタッチパネル７のハードウエア上のアドレスに対応するベッド番号と「タッチ」された移動先の「患者」枠（図３Ａ中ｆ）対応のタッチパネル７のハードウエア上のアドレスに対応するベッド番号とをテーブル検索により特定する（図８中ｅ）。
【００５５】
続いて、マイクロコンピュータは、ここで特定された移動対象の「患者」枠に対応するベッド番号をキーにして、ベッド番号対応で、個人看護情報記憶手段（図１中Ｅ）内に記憶されている個人看護情報ファイル群から、移動対象の「患者」枠対応のものを呼び出した（図８中ｆ）後、ここで呼び出された移動対象の「患者」枠対応の個人看護情報ファイルを移動先の「患者」枠対応のベッド番号に関係付けて、移動先の「患者」枠対応のものとして、個人看護情報記憶手段（図１中Ｅ）内に呼び出し可能に更新記憶する（図８中ｇ）。その際、同時的に移動先の「患者」枠（図３Ａ中ｆ）の患者を逆に移動対象の「患者」枠（図３Ａ中ｅ）の方に移すことで、ベッド交換を行う場合には、マイクロコンピュータは、図８中のステップｆ、ｇと同様のステップを実行することにより、先ず、個人看護情報記憶手段（図１中Ｅ）内の個人看護情報ファイル群から、移動先の「患者」枠（図３Ａ中ｆ）対応のもの（例示の移動先の「患者」枠は空ベッドであるが、患者対応の個人看護情報ファイルの存在を仮定する）を呼び出した（図８中ｆ相当）後、これを、移動対象の「患者」枠（図３Ａ中ｅ）対応のものとして、個人看護情報記憶手段（図１中Ｅ）内に呼び出し可能に更新記憶すれば（図８中ｇ相当）よい。
【００５６】
次いで、マイクロコンピュータは、上述の更新記憶済みの個人看護情報群から呼び出されたすべての患者についての個人看護情報ファイルに基づいて、ＣＲＴディスプレイ８上での個人看護情報の表示形態を特定するための表示信号を生成して（図８中ｈ）、これをＣＲＴディスプレイ８に対して出力して、ＣＲＴディスプレイ８の画面上に、図３Ａに示されるような表示形態で第１群個人看護情報を表示する（図８中ｉ）。続いて、病院内全体の入院患者の在室状況数（在室患者数、外泊患者数、外出患者数、空ベット数）を確認する場合の実施形態の動作について以下に説明する。
【００５７】
入院患者の在室状況数の確認に際して、ナースステーション側の操作者が、ＣＲＴディスプレイ８の画面上の患者起呼情報表示部位Ｃａ及び場所起呼情報表示部位Ｈａと同一頁に形成された在室状況数確認操作部位、即ち、図３Ａに示されている表示形態例によれば、画面の右端列下から第５行に位置する「在室状況」枠（図３Ａ中ｇ）に対して体接触を与えるようにして、在室状況数操作を行うと、これに応動して、当該画面上のタッチパネル７の当該部位から直接的に在室状況数確認信号が生成されて、該信号がデータ処理装置６に伝えられる。かくて、ここでのタッチパネル７は、図１における在室状況数確認信号生成手段Ｓを構成する。そして、このとき、データ処理装置６内のマイクロコンピュータのプログラム実行により実現される図１中の在室状況数計数手段Ｔは、在室状況数確認信号生成手段Ｓからの在室状況数確認信号に応答して、個人看護情報記憶手段Ｅからすべての患者についての個人看護情報中の患者状況情報（在室、外泊中、外出）を読み出し、当該読み出された患者状況情報と予め設定された病院内のベッド定数とに基づいて、在室状況数（在室患者数、外泊患者数、外出患者数、空ベット数）を計数する。そして、ここで計数された在室状況数は、ＣＲＴディスプレイ８の画面上に図９例示の表示形態で在室状況数表示手段Ｕを介して表示される。その際、在室状況数計数手段Ｔ及び在室状況数表示手段Ｕを実現するのに、データ処理装置６内のマイクロコンピュータにより実行されるプログラムフローを例示するのが図１０である。
【００５８】
図１０において、マイクロコンピュータがスタートすると（図１０中ａ）、ＣＲＴディスプレイ８の画面上の図３Ａ例示の表示形態において、「在室状況」枠（図３Ａ中ｇ）対応のタッチパネル７が操作者により、体接触（タッチ）されたかどうかを判別し（図１０中ｂ）、当該タッチパネルがタッチされて、ここでの判別結果が「Ｙｅｓ」に転ずるのを待つ。判別結果が「Ｙｅｓ」に転じた場合には、マイクロコンピュータは、個人看護情報記憶手段（図１中Ｅ）から、すべてのベッドについて個人看護情報ファイルを読み出して（図１０中ｃ）おいて、患者ごとのファイル中の「在室」ステータス、「外泊中」ステータス及び「外出」ステータスをすべての患者について累積集計することにより、記載順の対応で「在室患者数」、「外泊患者数」及び「外出患者数」を算出し、さらに、予め設定されている病院内のベッド定数から全患者数（「在室患者数」と「外泊患者数」と「外出患者数」の合計）を減算することにより、空ベッド数を算出する（図１０中ｄ）。続いて、マイクロコンピュータは、ここで算出済みの上記在室状況数のＣＲＴディスプレイ８上の表示形態を特定するための表示信号を生成して（図１０中ｅ）、これを、ＣＲＴディスプレイ８に対して出力すると、ＣＲＴディスプレイ８の画面上で、図９に示されるような表示形態で在室状況数が表示される（図１０中ｆ）。
【図面の簡単な説明】
【００５９】
【図１】この発明の機能ブロック図である。
【図２】この発明の実施の形態におけるハードウエア上の構成を示すブロック図である。
【図３Ａ】この発明の実施の形態におけるＣＲＴディスプレイ８の画面上での表示形態の説明図である。
【図３Ｂ】この発明の実施の形態におけるＣＲＴディスプレイ８の画面上での第１群個人看護情報の「患者」枠としての表示形態の説明図である。
【図３Ｃ】この発明の実施の形態におけるＣＲＴディスプレイ８の画面上での第２群個人看護情報の表示形態の説明図である。
【図４】この発明の実施の形態におけるデータ処理装置６内のマイクロコンピュータで実行されるプログラムのフローチャートであり、患者起呼情報表示手段Ｃを実現する。
【図５】この発明の実施の形態におけるデータ処理装置６内のマイクロコンピュータで実行されるプログラムのフローチャートであり、場所起呼情報表示手段Ｈを実現する。
【図６】この発明の実施の形態におけるデータ処理装置６内のマイクロコンピュータで実行されるプログラムのフローチャートであり、個人起呼情報表示手段Ｄを実現する。
【図７Ａ】この発明の実施の形態におけるデータ処理装置６内のマイクロコンピュータで実行されるプログラムのフローチャートであり、優先通話起呼患者・場所特定手段Ｋを実現する。
【図７Ｂ】この発明の実施の形態におけるデータ処理装置６内のマイクロコンピュータで実行されるプログラムのフローチャートであり、優先通話起呼患者・場所特定手段Ｋを実現する。
【図８】この発明の実施の形態におけるデータ処理装置６内のマイクロコンピュータで実行されるプログラムのフローチャートであり、患者移動処理手段Ｒを実現する。
【図９】この発明の実施の形態におけるディスプレイ８の画面上での在室状況数の表示形態の説明図である。
【図１０】この発明の実施の形態におけるデータ処理装置６内のマイクロコンピュータで実行されるプログラムのフローチャートであり、在室状況数計数手段Ｔ及び在室状況数表示手段Ｕを実現する。
【符号の説明】
【００６０】
Ａ１、Ａ２・・・患者起呼情報手段
Ｂ・・・起呼患者特定手段
Ｃ・・・患者起呼情報表示手段
Ｃａ・・・患者起呼情報表示部位
Ｄ・・・個人看護情報表示手段
Ｅ・・・個人看護情報記憶手段
Ｍ・・・被呼患者指定手段
Ｎ・・・起呼通話信号生成手段
Ｏ・・・患者移動処理信号生成手段
Ｐ・・・移動対象患者指定信号生成手段
Ｑ・・・移動先指定信号生成手段
Ｒ・・・患者移動処理手段
Ｓ・・・在室状況数確認信号生成手段
Ｔ・・・在室状況数計数手段
Ｕ・・・在室状況数表示手段
【図１】
2005253979.tif 000003
【図２】
2005253979.tif 000004
【図３Ａ】
2005253979.tif 000005
【図３Ｂ】
2005253979.tif 000006
【図３Ｃ】
2005253979.tif 000007
【図４】
2005253979.tif 000008
【図５】
2005253979.tif 000009
【図６】
2005253979.tif 000010
【図７Ａ】
2005253979.tif 000011
【図７Ｂ】
2005253979.tif 000012
【図８】
2005253979.tif 000013
【図９】
2005253979.tif 000014
【図１０】
2005253979.tif 000015